(57)【特許請求の範囲】
【請求項１】
連結アームで連結された複数の支柱を有し、それぞれの支柱の上部には竿受けアームを、下部には締め付けアームを設けると共に、前記締め付けアームの上端部を前記支柱に取り付け、下端部は自由端とし、前記支柱と前記締め付けアームとの間に引っ張り材を設けたことを特徴とする竿掛け具。
【請求項２】
前記支柱の下端と前記締め付けアームの下端とを係止する台座フレームを設け、前記支柱を前記台座フレーム上に立設できるようにしてなる請求項１記載の竿掛け具。
【請求項３】
前記連結アームと前記支柱、前記竿受けアーム及び前記締め付けアームを棒状部材で構成し、かつそれらを脱着可能な締結手段で組み立ててなる請求項１または２記載の竿掛け具。
【発明の詳細な説明】
【０００１】
【発明の属する技術分野】
本発明は、釣りをする時に複数の竿を保持できる竿掛け具に関し、特に縁石や車止め等の固定物があればそれらに固定でき、また、固定物の無い平坦な場所であっても、台座フレームを用いて設置できる、組み立て、解体、運搬、保管の容易な竿掛け具に関するものである。
【０００２】
【従来の技術】
従来この種の竿掛け具としては、例えば実用新案登録第３０３０９７１号公報に記載された折り畳み式の竿掛け具が公知である。
【０００３】
前記公報記載の竿掛け具は、長方形状の縦枠の下部に折り畳みのできるスタンド座を設け、縦枠内に三角状の挟持部と挟持部の支持棒を設け、その支持棒のバネ弾性によりバケツ等の側部を挟持できるようにしたもので、縦枠上部に竿受けを有し、その竿受けの取り付け部に折り畳み装置を設けることにより、長方形状の縦枠の大きさに折り畳めるようになっている。
【０００４】
【発明が解決しようとする課題】
しかし前記公報に記載された竿掛け具では、竿掛け具の固定は挟持部の支持棒のバネ弾性で挟持するので、バネ弾性が強すぎると挟持するための操作に多大な力を必要とし、バネ弾性が弱すぎると確実に固定できない。
【０００５】
また、このような竿掛け具を使用する釣りでは複数の竿を置き竿にすることが多いが、竿の数だけ竿掛け具及びそれを取り付けるバケツ等が必要になると共に、挟持できるバケツ等が無い場合には使用できない。
【０００６】
さらに、折り畳んだときの大きさは長方形状の縦粋の大きさとなり、通常の竿袋等に収納できない等の欠点がある。
【０００７】
本発明は前記欠点を改善するためになされたもので、複数の竿を同時に使用でき、かつ組み立て、解体が容易であると共に、使用しないときには竿袋等に簡単に収納できる竿掛け具を提供することを目的とするものである。
【０００８】
【課題を解決するための手段】
前記目的を達成するため請求項１記載の竿掛け具は、連結アームで連結された複数の支柱を有し、それぞれの支柱の上部には竿受けアームを、下部には締め付けアームを設けると共に、締め付けアームの上端部を支柱に取り付け、下端部は自由端とし、支柱と締め付けアームとの間に引っ張り材を設けたものである。
【０００９】
前記構成により、上部に竿受けアームが設けられた複数の支柱が連結アームで連結されているため、竿受けアームに竿受け具を取り付けることができ、複数の竿を設置することができる。
また、支柱の下部には締め付けアームが設けられ、その締め付けア−ムの上端部は支柱に取り付けられ、下端部は自由端となっており、その支柱と締め付けアームとの間に引っ張り材を設けたことから、支柱と締め付けアームとの下端部の間隔を引っ張り材で調整することにより、固定物や台座に強固に固定することができると共に、支柱と締め付けアームが複数連結されているので、支柱を安定して固定することができる。
【００１０】
前記目的を達成するため請求項２記載の竿掛け具は、支柱の下端と締め付けアームの下端とを係止する台座フレームを設け、支柱を台座フレーム上に立設できるようにしたものである。
【００１１】
前記構成により、固定物の無い砂浜等平坦な場所においても竿掛け具を設置、使用することができる。
【００１２】
前記目的を達成するため請求項３記載の竿掛け具は、連結アームと支柱、竿受けアーム及び締め付けアームを棒状部材で構成し、かつそれらを脱着可能な締結手段で組み立てたものである
【００１３】
前記構成により、組み立て、解体が容易にできる上、竿掛け具を使用しない時には竿袋等に簡単に収納でき、運搬、保管が容易である。
【００１４】
なお本発明における台座フレームには、竿尻受けを設け設置する竿の仰角を大きくできるようにするのが効果的である。
【００１５】
また、本発明における脱着可能な締結手段としては、限定はされないが、蝶ナット、蝶ねじを用いるのがよい。
【００１６】
【発明の実施の形態】
以下、本発明の実施の形態を図面を参照して説明する。
図１は竿掛け具を示す斜視図、図２は竿掛け具の他の使用例を示す斜視図、図３は竿掛け具の台座フレームを示す平面図、図４は図２のＡ円内の分解斜視図である。
【００１７】
竿掛け具本体１は、連結アーム１７で連結された２本の支柱１１，１１を有し、それぞれの支柱１１の上部には竿受けアーム１３、下部には締め付けアーム１２が設けられ、その締め付けアーム１２の上端部は支柱１１に取り付けられ、下端部は自由端とされており、その支柱１１と締め付けアーム１２との間に両切りボルトよりなる引っ張り材１９が設けられている。
【００１８】
支柱１１、連結アーム１７、締め付けアーム１２はステンレス鋼製の角パイプで形成されており、締め付けアーム１２はベンダーにより上部が円弧状に湾曲されている。
【００１９】
連結アーム１７の両端にはボルト３３，３３が設けてあり、そのボルト３３，３３を支柱１１，１１に設けた孔に通して蝶ナット３１，３１で支柱１１，１１に固着してあり、連結アーム１７の中央部には吊り具１８が連結アーム１７に蝶ねじ３２によって取り付けてある。
【００２０】
支柱１１の中央部には嵌合孔１１ａが設けてあり、そこに締め付けアーム１２の上端を差し込んで取り付けてあり、支柱１１と締め付けアーム１２の対応する位置に孔が設けてあり、これらの孔に引っ張り材１９が差し込んであり、蝶ナット３１，３１で支柱１１と締め付けアーム１２の下端部を引き寄せることができるようになっていると共に、竿受けアーム１３は、支柱１１に蝶ねじ３２によって取り付けてある。
【００２１】
このように竿掛け具本体１を構成することにより、竿受けアーム１３に竿受け具１４を蝶ねじ３２，３２で取り付け、竿掛け具が横成されている。
【００２２】
次に、竿掛け具本体１の使用法を説明すると、海岸の車止め５を支柱１１と締め付けアーム１２とで図１に示すように挟み込んで、引っ張り材１９の両端から蝶ナット３１を締めていくことにより、車止め５に強固に固定したら、竿４，４を竿受け具１４，１４に設置するもので、１個の竿掛け具で２本の竿４，４を設置することができると共に、受け具１８の上にはエサバケツをセットしたり、受け具１８に水バケツを吊り下げたりすることができる。
【００２３】
また、支柱１１、締め付けアーム１２、引っ張り材１９、竿受け具１４は全て蝶ナット３１、蝶ねじ３２で組み立ててあるので、道具なしで組み立て、解体することができる上、それらは全て棒状部材で構成されているので、解体して竿袋等にコンパクトに収納することができ、運搬、保管が容易である。
【００２４】
次に図２ないし図４に示す他の使用例を説明する。
図３において台座フレーム２は、支柱用フレーム２１と安定フレーム２２，２２ａとからなり、それらはステンレス鋼製の角パイプで形成されていると共に、台座フレーム２は支柱用フレーム２１の両端に設けたボルト３３，３３を安定用フレーム２２，２２ａの対応する場所に開けた孔に突出部（ともに図示せず）を圧入して固定することにより組み立ててある。
また、支柱フレーム２１には、支柱１１、締め付けアーム１２の下端部が挿入できる嵌合穴２４，２４が設けてあり、安定用フレーム２２ａには竿尻受け２３，２３がビスで取り付けてある。
【００２５】
台座フレーム２をこのように構成することにより、図２に示すように、竿掛け具本体１の支柱１１，１１と締め付けアーム１２，１２の下端部を、支柱用フレーム２１，２１の嵌合穴２４、２４、２４、２４に挿入し、引っ張り材１９，１９の両端から蝶ナット３１を締めていくことにより、下端部に形成したスリット１１ａ，１２ａが嵌合穴２４，２４，２４，２４に係合して、台座フレーム２に強固に固着することができ、台座フレーム２には脚ボルト３４，３４，３４，３４が設けてあってレベル調整ができる上、台座フレーム２が移動するのを防止できるようになっている。
【００２６】
上述のように、台座フレーム２を使用することにより、車止め等の固定物の無い砂浜等においても、竿掛け具を使って釣りを楽しむことができ、竿尻受け２３と竿受け具１４とを使用することにより、竿の仰角を大きくして設置することができるため、投げ釣りに好適に使用することができるが、その際、竿受け具１４の方向は図１とは逆に取り付けてある。
【００２７】
また、竿掛け具本体１とともに道具なしで組み立て、解体でき、それらは全て棒状部材で構成されているので、竿袋等にコンパクトに収納でる上、組み立て、解体、運搬、保管が容易である。
【００２８】
なお前記実施の形態では、支柱１１を２本設けたが、例えば支柱１１を３本以上設けてもよく、また締め付けアーム１２は直線状でもよい。
【００２９】
【発明の効果】
本発明は以上説明したように、連結アームで連結された複数の支柱を有し、それぞれの支柱の上部には竿受けアームを、下部には締め付けアームを設けると共に、締め付けアームの上端部を支柱に取り付け、下端部は自由端とし、支柱と締め付けアームとの間に引っ張り材を設けたことから、竿受けアームに竿受け具を取り付けることができ、複数の竿を設置することができる上、支柱と締め付けアームとの下端部の間隔を引っ張り材で調整することにより、固定物や台座を強固に固定することができると共に、支柱を安定して固定することができる。
【００３０】
また、支柱の下端と締め付けアームの下端とを係止する台座フレームを設け、支柱を台座フレーム上に立設できるようにしたことから、固定物の無い砂浜等平坦な場所においても竿掛け具を設置、使用することができる。
【００３１】
さらに、連結アームと支柱、竿受けアーム及び締め付けアームを棒状部材で構成し、かつそれらを脱着可能な締結手段で組み立てたことから、組み立て解体が容易にできる上、竿掛け具を使用しない時には竿袋等に簡単に収納できるため、運搬、保管が容易である。
【図面の簡単な説明】
【図１】本発明の実施の形態になる竿掛け具を示す斜視図である。
【図２】本発明の実施の形態になる竿掛け具の他の使用例を示す斜視図である。
【図３】本発明の実施の形態になる竿掛け具の台座アームを示す平面図である。
【図４】図２のＡ円内の分解斜視図である。
【符号の説明】
１  竿掛け具本体
２  台座フレーム
１１  支柱
１２  締め付けアーム
１３  竿受けアーム
１７  連結アーム
１９  引っ張り材
３１  蝶ナット（締結手段）
３２  蝶ねじ（締結手段）
３３  ボルト（締結手段）
【図１】
0003608657.tif 000002
【図２】
0003608657.tif 000003
【図３】
0003608657.tif 000004
【図４】
0003608657.tif 000005